(57)【要約】【課題】  遊技盤に植設された釘が予め定められた傾斜角度及び傾斜方向になっているか否かを簡易に測定できるようにする。【解決手段】  同一軸線上の前後方向に並べて配置される胴体１５及び回転体１６と、これら胴体１５及び回転体１６を同一軸線上の周方向に互いに独立して回転自在に連結する連結手段１７と、回転体に設けられ該回転体の回転状態を検出し得る水準器１８と、胴体の前端側に設けられ遊技盤１に当接させる遊技盤当接面５３と該遊技盤当接面に対し所定角度傾斜し釘の軸部を当接させる釘当接面５４とが形成されている計測ゲージ１９と、胴体の後端側に設けられ回転体の該胴体との相対的な回転角度を読み取り得る目盛り部２０とを備えている。【選択図】  図７
2017070360.tif 000002
【特許請求の範囲】
【請求項１】
遊技機に装着された遊技盤から突出する釘の傾斜角度及び傾斜方向を測定する遊技機の釘傾斜測定装置であって、
同一軸線上の前後方向に並べて配置される胴体及び回転体と、
前記胴体及び前記回転体を同一軸線上の周方向に互いに独立して回転自在に連結する連結手段と、
前記回転体に設けられ該回転体の回転状態を検出し得る水準器と、
前記胴体の前端側に設けられ前記遊技盤に当接させる遊技盤当接面と該遊技盤当接面に対し所定角度傾斜し前記釘の軸部を当接させる釘当接面とが形成されている計測ゲージと、
前記胴体又は前記回転体のいずれか一方に設けられ該回転体の該胴体との相対的な回転角度を読み取り得る目盛り部とを備えていることを特徴とする遊技機の釘傾斜測定装置。
【請求項２】
前記計測ゲージは、前記胴体に着脱自在に設けられていることを特徴とする請求項１記載の釘傾斜測定装置
【請求項３】
前記計測ゲージの釘当接面は、前記遊技盤当接面から所定角度傾斜する両側縁に設けられ且つ互いに平行に形成されていることを特徴とする請求項１乃至２記載の釘傾斜測定装置。
【請求項４】
前記回転体に該回転体を前記胴体に対する所定の回転角度において固定する固定手段を設けたことを特徴とする請求項１乃至３記載の釘傾斜測定装置。
【発明の詳細な説明】
【技術分野】
【０００１】
本発明は、遊技機に装着された遊技盤から突出する釘の傾斜角度及び傾斜方向を測定する遊技機の釘傾斜測定装置に関するものである。
【背景技術】
【０００２】
遊技機の代表例であるパチンコ遊技機の遊技盤に植設される釘は、その傾斜角度及び傾斜方向をパチンコ遊技機メーカーが予め定め、通信保安協会の型式試験に適合する必要がある。また、パチンコ遊技機がホールに納品された後は、遊技盤の釘の傾斜角度及び傾斜方向を各ホールが変更することは基本的に認められていない。そのため、遊技盤に植設された釘の傾斜角度及び傾斜方向が、予め定められた適正な状態にあるか否かを簡易に測定し得る装置の存在が望まれている。
【０００３】
この点、例えば、特許文献１及び２に示されているように、遊技盤に植設された釘の傾斜角度を測定する器具は種々存在するものの、同時に釘の傾斜方向についても簡易に測定し得るものについては、現存していない。
【先行技術文献】
【特許文献】
【０００４】
【特許文献１】特開平９−９４３２７号公報
【特許文献２】特開２００６−３４９９９号公報
【発明の概要】
【発明が解決しようとする課題】
【０００５】
そこで、本発明は、上記課題を解決すべく、遊技盤に植設された釘の傾斜角度のみならず、遊技盤に植設された釘の傾斜方向についても、それが予め定められた適正な状態にあるか否かを簡易に測定し得る装置を提供することを目的としている。
【課題を解決するための手段】
【０００６】
かかる目的を達成するため本発明は、遊技機に装着された遊技盤から突出する釘の傾斜角度及び傾斜方向を測定する遊技機の釘傾斜測定装置であって、同一軸線上の前後方向に並べて配置される胴体及び回転体と、前記胴体及び前記回転体を同一軸線上の周方向に互いに独立して回転自在に連結する連結手段と、前記回転体に設けられ該回転体の回転状態を検出し得る水準器と、前記胴体の前端側に設けられ前記遊技盤に当接させる遊技盤当接面と該遊技盤当接面に対し所定角度傾斜し前記釘の軸部を当接させる釘当接面とが形成されている計測ゲージと、前記胴体又は前記回転体のいずれか一方に設けられ該回転体の該胴体との相対的な回転角度を読み取り得る目盛り部とを備えていることを特徴としている。
【０００７】
前記釘傾斜測定装置の前記計測ゲージは、前記胴体に着脱自在に設けられていることが好ましい。こうすることで、遊技盤に植設された釘の様々な傾斜角度に対応し得る複数の計測ゲージを準備しておき、計測する傾斜角度によって計測ゲージを差し替えて使用することができることになる。
【０００８】
前記釘傾斜測定装置の前記計測ゲージの釘当接面は、前記遊技盤当接面から所定角度傾斜する両側縁に設けられ且つ互いに平行に形成しておくことが好ましい。こうすることで、釘当接面のいずれの側縁でも釘の傾斜角度の測定が可能になり、例えば、釘の配置の関係で一方の側縁の釘当接面ではスペースの制約上測定が困難な場合、他方の側縁の釘当接面で測定し得るというメリットを享受することができる。
【０００９】
前記回転体に該回転体を前記胴体に対する所定の回転角度において固定する固定手段を設けることが望ましい。こうすることで、釘の傾斜方向の測定を容易に行うことが可能となる。
【発明の効果】
【００１０】
本発明に係る釘傾斜測定装置によれば、遊技盤に植設された釘が予め定められた傾斜角度及び傾斜方向になっているか否かを簡易に測定することが可能である。
【図面の簡単な説明】
【００１１】
【図１】遊技盤の正面図。
【図２】釘傾斜測定装置の平面図。
【図３】釘傾斜測定装置の斜視図。
【図４】釘傾斜測定装置に測定ゲージを装着する状態を示す斜視図。
【図５】釘傾斜測定装置の分解斜視図。
【図６】測定ゲージの側面図。
【図７】釘傾斜測定装置の使用状態を示す平面図。
【図８】釘傾斜測定装置の使用状態を示す平面図。
【発明を実施するための形態】
【００１２】
以下、本発明に係る釘傾斜測定装置の実施形態を図面に基づき説明する。なお、釘傾斜測定装置の説明に先立ち、本発明の計測対象である多数の釘が植設された遊技盤について説明しておく。図１は遊技盤の正面図である。
【００１３】
本実施形態におけるパチンコ遊技機は、図示しないが、長方形状の機枠の前面に本体枠を開閉自在に軸着し、該本体枠の前面に透明板保持枠を開閉自在に軸着している。また、本体枠の前面上部に、後方へ窪んだ方形状の遊技盤収納凹部が形成されており、この遊技盤収納凹部に、図１に示す遊技盤１が着脱自在に取り付けられている。
【００１４】
前記遊技盤１には、図１に示すように、その前面に発射された遊技球を誘導する内側・外側ガイドレール２ａ，２ｂがほぼ円形状に配設され、該内側・外側ガイドレール２ａ，２ｂに囲まれた部分が遊技領域３になっている。そして、遊技領域３の中央には、文字、数字などの図柄を変動表示する表示部を備えた可変表示装置４が装着され、その直下に遊技球が入賞すると図柄を変動させる始動入賞口５が配設されている。また、始動入賞口５の直下には電動チューリップ６が配設されており、さらにその両側には、一般入賞口７ａ，７ｂ，７ｃ，７ｄが配設されている。また、電動チューリップ６の下方には、可変表示装置４の表示部に表示された図柄が停止し、その停止した図柄が特定の図柄（例えば、「７７７」）に揃った場合、一定の条件の下で一度に多くの入賞球が得られる入賞装置８が装着されている。また、可変表示装置４の中央よりやや上側の左側に通過チャッカー９が、可変表示装置４の下方両側には、遊技球の流下方向を変更させる風車１０，１０が回転自在に取り付けられており、さらに、遊技領域３の最下端には遊技領域３に打ち込まれた遊技球のうち、いずれの入賞口にも入賞しなかった遊技球をパチンコ遊技機の外部に排出するためのアウト球口１１が配設されている。そして、遊技領域３のうち、前記した装置等が設けられていない領域に多数の釘が植設されている。
【００１５】
ところで、前記のとおり、パチンコ遊技機に装着された遊技盤１には、多数の釘が植設されて遊技盤１の前面側に突出しているが、これらの釘は、原則として遊技盤１に対し略垂直に打ち込まれている。もっとも、始動入賞口５や一般入賞口７ａ，７ｂ，７ｃ，７ｄなどの近辺の釘については、傾斜させて植設されるものがある。そして、釘を傾斜させる場合には、その傾斜角度及び傾斜方向をメーカーが予め定め、通信保安協会の型式試験に適合する必要がある。例えば、図１に示す一般入賞口７ａの上方に位置する釘Ａは１０時の方向（遊技盤の正面から見て左やや上方向）へ５度、釘Ｂは３時の方向（遊技盤の正面から見て右方向）へ５度傾斜させ、始動入賞口５の上方に位置する釘Ｃは１０時の方向へ２度、釘Ｄは２時の方向（遊技盤の正面から見て右やや上方向）へ２度傾斜させるとした場合、これらの傾斜を予め通信保安協会に届け出て、型式試験に適合する必要があり、また、型式試験に適合した傾斜角度及び傾斜方向は、以後、そのままの状態にしておくことが原則となっている。従って、遊技盤１に植設された釘の傾斜角度及び傾斜方向が予め定めたとおりになっているかを種々の場面で計測し確認することが必要になってくる。そのため、本発明に係る釘傾斜測定装置が使用されることになる。
【００１６】
次に、この釘傾斜測定装置の構成について図２乃至図５に基づいて説明する。図２は釘傾斜測定装置の平面図、図３は釘傾斜測定装置の斜視図、図４は釘傾斜測定装置に測定ゲージを装着する状態を示す斜視図、図５は釘傾斜測定装置の分解斜視図である。
【００１７】
釘傾斜測定装置１２は、同一軸線上の前後方向に並べて配置される胴体１５及び回転体１６と、胴体１５及び回転体１６を同一軸線上の周方向に互いに独立して回転自在に連結する連結手段としての回転シャフト１７と、回転体１６に設けられ該回転体１６の回転状態を検出し得る水準器１８と、胴体１５の前端側に着脱自在に設けられる計測ゲージ１９と、胴体１５の後端側に設けられ回転体１６の該胴体１５との相対的な回転角度を読み取り得る目盛り部２０とによって構成されている。
【００１８】
前記胴体１５は、所定長さを有する円柱体形状をしている。具体的には、この実施形態における釘傾斜測定装置１２の胴体１５は、６５ｍｍの長さを有し、直径が３０ｍｍの円柱体形状に形成されている。そして、この胴体１５は、後ろ側（回転体１６側）が傾斜表示部２１、前側がゲージ装着部２２となっている。このうち、傾斜表示部２１の外周面であって、回転体１６との境界部分には、目盛り部２０が印刷されたシールが貼付されている。この目盛り部２０は、遊技盤１に植設された釘が正面視で何時の方向に傾斜しているかを読み取るためのもので、軸方向に縦長の線で表した印が２４本示されている。その２４本の印のうち、１２本は他の１２本の間に示されており、且つ他の１２本よりも長さが短い印になっている。そして、長い方の印の端部に１から１２の数字が記されている。また、傾斜表示部２１は、図５に示されているように、その中心に貫通状のシャフト固定用孔２３が形成されていると共に、その両側に貫通状の螺子挿通孔２４，２４が形成されている。なお、シャフト固定用孔２３は、前側から段付きボルト２５を挿入するため、前側が段付きボルト２５の頭部が入る広径となっており、後側は段付きボルト２５の雄ねじ部が入る程度の細径になっている。他方、ゲージ装着部２２は、円柱体を半裁して２分割されており、一方のゲージ装着部半体２２ａの４箇所に形成されたネジ挿通孔２８，２８・・・から螺子を螺着することで他方のゲージ装着部半体２２ｂと合体するようになっている。また、両ゲージ装着部半体２２ａ，２２ｂの内側面には、その前縁から後縁まで連続する長方形状の凹み２６ａ，２６ｂが形成されており、ゲージ装着部半体２２ａとゲージ装着部半体２２ｂを合体させると、ゲージ装着部２２の内部に計測ゲージ１９を挿入し得るゲージ挿入間隙２６が形成され、ゲージ装着部２２の前端面に細幅の縦長なゲージ挿入口２７が形成されることになる。さらに、他方のゲージ装着部半体２２ｂには、Ｔ字型の深溝２９が掘られており、Ｔ字の横棒に相当する部位に２つの螺子孔が設けられている。また、深溝２９のＴ字の縦棒に相当する部位にはケージ挿入間隙２６に連通する矩形状の開口３０が穿設されていると共に、開口３０が穿設されていない端部に螺子孔が設けられている。そして、深溝２９及び開口３０に押圧部材としての板バネ３１が配置されている。この板バネ３１もＴ字型をしており、Ｔ字の横棒に相当する部位３１ａに２つの貫通孔３２，３２が穿設されており、Ｔ字の縦棒に相当する部位３１ｂは、くの字状に屈曲させて押圧部３３が形成されている。そして、板バネ３１の押圧部３３の屈曲部分が開口３０からゲージ挿入間隙２６に入り込むように配置されている。さらに、深溝２９には、この深溝２９にちょうど嵌まり込むサイズのＴ字型のカバー３６が装着されており、カバー３６のＴ字の横棒に相当する部位の２箇所とＴ字の縦棒に相当する部位の１箇所に螺子挿通用の貫通孔３４，３４，３４が穿設されている。なお、図５中、３５，３５はシム板である。
【００１９】
前記回転体１６は、胴体１５と同様、所定長さを有する円柱体形状をしている。具体的には、この実施形態における釘傾斜測定装置１２の回転体１６は、４５ｍｍの長さを有し、胴体１５と同径の円柱体形状に形成されている。そして、回転体１６には、その一部を切削して形成した水平面部３７が設けられており、この水平面部３７に水準器１８が固着されている。水準器１８は、容器内に内封された液体及び気泡３８によって構成されており、該容器の略中央部に一対の基準線３９，３９が付されている。そして、気泡３８が一対の基準線３９，３９間に位置した時、水準器１８が水平になっていることを示すようになっている。また、回転体１６の外周面であり且つ胴体１５との境界部分には、指標線４０が印刷されたシールが貼付されている。この指標線４０は、軸方向に縦長の１本の線で示されており、この指標線４０を軸方向に延長させる仮想線を引いたとしたならば、該仮想線は水準器１８の中心を通ることになる。さらに、回転体１６には、図５に示されているように、その中心に貫通状のシャフト挿入用孔４１が形成されている。なお、シャフト挿入用孔４１の後端側は、後述する回転シャフト１７の広径部４２が入り且つ該広径部４２の周囲にスペースができる程度の広径となっている。
【００２０】
前記回転シャフト１７は、図５に示されているように金属製の丸棒状の部材で、後端部に外周が六角形の広径部４２が形成されている。また、回転シャフト１７の長さは回転体１６よりも若干長くなっている。そして、回転シャフト１７は、回転体１６のシャフト挿入用孔４１内に挿入されており、その先端が胴体１５のシャフト固定用孔２３側に入り込むように配置されている。また、回転シャフト１７の先端内部は、雌ネジ加工されたボルト挿入孔になっており、回転シャフト１７の後端の広径部４２の内部は雌ネジ加工されたボルト挿入孔となっている。なお、回転シャフト１７の広径部４２に形成されたボルト挿入孔には、回転体１６を所定の回転角度に固定しておくための固定手段としてのローレットノブ４３が螺着されている。すなわち、ローレットノブ４３を時計回り方向へ回転させて締め込むと、ローレットノブ４３の頭部の内側面が回転体１６の後端面に押さえ込まれて回転体１６の回転ができなくなり、逆に、ローレットノブ４３を反時計回り方向へ回転させて緩めると、ローレットノブ４３の頭部の内側面と回転体１６の後端面の接触が解かれ回転体１６が自由に回転できるようになる。
【００２１】
前記計測ゲージ１９は、図２及び図３に示されているように、釘傾斜測定装置１２を使用する際、胴体１５の前端側に装着されているが、図４に示されているように、胴体１５に対して着脱自在になっている。すなわち、計測ゲージ１９は、遊技盤１に植設された釘の様々な傾斜角度に対応し得るよう複数のものが準備されており、計測する傾斜角度によって差し替えて使用することができるようになっている。このような計測ゲージ１９は、図６に示されているように、薄い帯状鋼板により形成されており、先端側が平行四辺形状の一辺中央部分を円弧状に切り欠いた形状の計測部５０、他端側が略短冊形状の挿入部５１になっている。また、計測部５０と挿入部５１の間の両側縁には、凹状に窪ませた釘頭部収容凹部５２が形成されている。
【００２２】
前記計測ゲージ１９の計測部５０は、その先端縁を円弧状に切り欠くことで、釘の傾斜を計測する際、遊技盤１に当接させる遊技盤当接面５３，５３が２つ形成されている。また、計測部５０の両側縁は、釘の傾斜を計測する際、釘の軸部を当接させる釘当接面５４，５４になっている。そして、釘当接面５４，５４は、遊技盤当接面５３，５３を遊技盤１に当接させた際、２つの遊技盤当接面５３，５３を結ぶ線分Ｌに対し所定角度傾斜するように形成されており、また、両釘当接面５４，５４が相互に平行になるように形成されている。その結果、一方の釘当接面５４の傾斜角度と他方の釘当接面５４の補角、他方の釘当接面５４の傾斜角度と一方の釘当接面５４の補角とがそれぞれ同一角度となるようにされている。例えば、５°傾斜している釘を測定する計測ゲージ１９の場合、一方の釘当接面５４は、線分Ｌに対して９０°＋５°の９５°に傾斜し（この場合、補角８５°）、他方の釘当接面は線分Ｌに対して９０°−５°の８５°に傾斜して（この場合、補角９５°）形成されている。また、４°傾斜している釘を測定する計測ゲージ１９の場合、一方の釘当接面５４は、線分Ｌに対して９４°、他方の釘当接面は線分Ｌに対して８６°のようにそれぞれ１°ずつ異なる傾斜角度に形成されたものが０°から７°まで８本用意されている。なお、この実施の形態において、計測ゲージの計測部の遊技盤当接面は、その先端縁に２つ形成したものの例を示したが、例えば、その先端縁全体が遊技盤に隙間なく当接するような直線状に形成することも可能である。
【００２３】
次に、上記のように構成された釘傾斜測定装置１２の組立方法について図５を参照しながら説明する。最初に、釘傾斜測定装置１２の胴体１５から組み立てる。具体的には、まず、ゲージ装着部半体２２ｂの深溝２９に板バネ３１をセットする。この時、板バネ３１の押圧部３３の屈曲部分が開口３０に臨むように位置させる。その後、深溝２９にカバー３６を嵌めてカバー３６の貫通孔３４，３４，３４から３本の螺子で螺着する。なお、螺子を螺着する際、板バネ３１の貫通孔３２，３２に２つの螺子が共締めされるので、板バネ３１は、ゲージ装着部半体２２ｂに固定されることになる。次に、ゲージ装着部半体２２ｂ内面幅方向の両側縁のそれぞれにシム板３５，３５を配置し、ゲージ装着部半体２２ｂにゲージ装着部半体２２ａを重ね合わせる。そして、ゲージ装着部半体２２ａの４箇所に形成されたネジ挿通孔２８，２８・・・から螺子を螺着してゲージ装着部２２を組み立てる。次いで、傾斜表示部２１のシャフト固定用孔２３の前側から段付きボルト２５とスペーサ６０を挿入しておき、傾斜表示部２１をゲージ装着部２２の後端部に重ね合わせる。そして、傾斜表示部２１の螺子挿通孔２４，２４の後ろ側から２本の螺子を螺着して傾斜表示部２１とゲージ装着部２２とを合体させる。これにより、釘傾斜測定装置１２の胴体１５が完成する。次に、回転シャフト１７を回転体１６のシャフト挿入用孔４１の後ろ側から差し入れる。その状態で、回転体１６の前端部を胴体１５の後端部に重ね、回転シャフト１７先端のボルト挿通孔に傾斜表示部２１の固定用孔２３に予め挿入しておいた段付きボルト２５を合致させる。そして、治具等を使用して回転シャフト１７の後端側の広径部４２を回転させ、回転シャフト１７を段付きボルト２５に螺着する。これによって、胴体１５と回転体１６とが周方向に互いに独立して回転自在に連結されることになる。後は、ローレットノブ４３を回転シャフト１７の広径部４２に形成されたボルト挿入孔に螺着すると共に、回転体１６の水平面部３７に水準器１８を固着することで釘傾斜測定装置１２が完成する。そして、釘傾斜測定装置１２を実際に使用する場合、測定したい傾斜角度の計測ゲージ１９を選択し、その計測ゲージ１９の挿入部５１を胴体１５のゲージ装着部２２前端面に形成されたゲージ挿入口２７からゲージ挿入間隙２６に差し入れる。この時、計測ゲージ１９の挿入部５１先端がゲージ挿入間隙２６内で板バネ３１の押圧部３３を押し上げてゲージ挿入間隙２６の奥部へ移動し、計測ゲージ１９がセットされる。なお、計測ゲージ１９が一旦セットされると、板バネ３１の押圧部３３が計測ゲージ１９の挿入部５１を適度に押圧しているため、計測ゲージ１９は胴体１５に固定される。他方、板バネ３１の押圧部３３は計測ゲージ１９の挿入部５１を適度に押圧しているのみなので、計測ゲージ１９を容易に抜き取ることが可能である。
【００２４】
さらに、釘傾斜測定装置１２の使用方法について説明する。先にも述べたとおり、遊技盤１に植設されている釘には傾斜させて植設されているものがあるが、これらの釘の傾斜角度及び傾斜方向は、メーカーが予め定め、通信保安協会の型式試験に適合する必要がある。また、型式試験に適合した傾斜角度及び傾斜方向は、以後、そのままの状態にしておくことが原則となっている。ここで、図１に示す一般入賞口７ａの上方に位置する釘Ａと釘Ｂを例にして、釘傾斜測定装置１２による具体的な測定手順を説明する。例えば、釘Ａは１０時の方向（遊技盤の正面から見て左やや上方向）へ５度傾斜させるというようにメーカーが予め定めていたとする。この場合、釘Ａが定められた角度である５度の角度に傾斜しているか否かを確認する必要があるので、図７に示されているように５度を測定する計測ゲージ１９を選択し、この計測ゲージ１９を胴体１５に装着する。次いで、釘Ａが定められた方向である１０時の方向へ傾斜しているか否かを確認する必要があるので、回転体１６の後端部にあるローレットノブ４３を緩め、回転体１６が回転し得るようにする。そして、回転体１６を回転させて指標線４０を胴体１５の角度表示部２１にある目盛り部２０の「１０」という数字に合わせる。数字を合わせたら、ローレットノブ４３を締めて回転体１６をその位置に固定させる。これで、釘傾斜測定装置１２の準備が完了する。次に、釘傾斜測定装置１２をその水準器１８が上を向くようにして遊技盤１に植設されている釘Ａに１０時の方向から近づける。この時、水準器１８の気泡３８が基準線３９，３９間に位置しているならば、計測ゲージ１９は１０時の方向に傾斜していることになる。従って、図７に示されているように、計測ゲージ１９の計測部５０の遊技盤当接面５３，５３を遊技盤１に完全に当接させると共に、計測部５０の釘当接面５４を釘Ａの軸部に完全に沿わせて当接させた時、水準器１８の気泡３８が基準線３９，３９間に位置しているならば、予め定められたとおり、釘Ａが１０時の方向へ５度傾斜していることを確認することができる。他方、計測部５０の遊技盤当接面５３，５３を遊技盤１に完全に当接させているにも拘わらず、計測部５０の釘当接面５４が釘Ａの軸部に合致せず隙間ができるようであれば、釘Ａの傾斜角度が５度でないことが判る。また、計測部５０の遊技盤当接面５３，５３を遊技盤１に完全に当接させ、且つ計測部５０の釘当接面５４を釘Ａの軸部に隙間なく当接させたにもかかわらず、水準器１８の気泡３８が基準線３９，３９間に位置していないならば、釘Ａが１０時の方向へ傾斜していないことが判る。さらに図８に基づいて釘Ｂの測定についても説明しておくと、釘Ｂの測定も釘Ａと略同様の手順で簡単に行うことができる。例えば、釘Ｂは３時の方向（遊技盤の正面から見て右方向）へ５度傾斜させるというようにメーカーが予め定めていたとする。この場合、５度を測定する計測ゲージ１９を胴体１５に装着すると共に、回転体１６の指標線４０を胴体１５の角度表示部２１にある目盛り部２０の「３」という数字に合わせ、回転体１６をその位置に固定させる。この時、水準器１８の気泡３８が基準線３９，３９間に位置しているならば、計測ゲージ１９は３時の方向に傾斜していることになる。すなわち、図８に示されているように、計測ゲージ１９の計測部５０の主表面５５が水平な状態になっている。そして、釘傾斜測定装置１２をその水準器１８が上を向くようにして釘Ｂに３時の方向から近づけ、計測部５０の遊技盤当接面５３，５３を遊技盤１に完全に当接させると共に、計測部５０の釘当接面５４を釘Ｂの軸部に完全に沿わせて当接させた時、水準器１８の気泡３８が基準線３９，３９間に位置しているならば、予め定められたとおり、釘Ｂが３時の方向へ５度傾斜していることを確認することができる。他方、計測部５０の釘当接面５４が釘Ｂの軸部に合致しなければ、釘Ｂの傾斜角度が５度でないことが判るし、水準器１８の気泡３８が基準線３９，３９間に位置していないならば、釘Ｂが３時の方向へ傾斜していないことが判る。このように、本発明に係る釘傾斜測定装置１２によれば、遊技盤１に植設された釘が適正な傾斜角度になっているかを測定できるのみならず、釘が適正な傾斜方向になっているかについても同時に測定することが可能である。なお、ここで説明した使用方法では、事前に測定する傾斜方向に目盛り部２０を合わせておく例を示したが、例えば、釘傾斜測定装置１２の計測ゲージ１９を遊技盤１及び釘に当接させてから、回転体１６を回転させて目盛り部２０を合わせても同様の測定が可能である。また、計測ゲージ１９の計測部５０の両側にある釘当接面５４，５４は、互いに平行になっていることから、例えば、釘が３時の傾斜方向か否かを確認する際、３時の方向の逆である９時の方向から測定しても同様の効果が得られる。
【００２５】
なお、上記実施の形態において、回転体の回転角度を読み取り得る目盛り部を胴体側に設け、指標部を回転体側に設ける例を示したが、これに限られず、目盛り部を回転体側に設け、指標部を胴体側に設けても良い。また、上記実施の形態において、目盛り部及び指標部をシールに印刷した例を示したが、必ずしもシールを介在させる必要はなく、目盛り部及び指標部を胴体又は回転体に直接表示するようにしても良い。
【符号の説明】
【００２６】
１      遊技盤
１５    胴体
１６    回転体
１７    回転シャフト（連結手段）
１８    水準器
１９    計測ゲージ
２０    目盛り部
４３    ローレットノブ（固定手段）
５３    遊技盤当接面
５４    釘当接面
【図１】
2017070360.tif 000003
【図２】
2017070360.tif 000004
【図３】
2017070360.tif 000005
【図４】
2017070360.tif 000006
【図５】
2017070360.tif 000007
【図６】
2017070360.tif 000008
【図７】
2017070360.tif 000009
【図８】
2017070360.tif 000010
【手続補正書】
【提出日】平成28年8月22日(2016.8.22)
【手続補正１】
【補正対象書類名】特許請求の範囲
【補正対象項目名】全文
【補正方法】変更
【補正の内容】
【特許請求の範囲】
【請求項１】
遊技機に装着された遊技盤から突出する釘の傾斜角度及び傾斜方向を測定する遊技機の釘傾斜測定装置であって、
同一軸線上の前後方向に並べて配置される胴体及び回転体と、
前記胴体及び前記回転体を同一軸線上の周方向に互いに独立して回転自在に連結する連結手段と、
前記回転体に設けられ該回転体の回転状態を検出し得る水準器と、
前記胴体の前端側に設けられ前記遊技盤に当接させる遊技盤当接面と該遊技盤当接面に対し所定角度傾斜し前記釘の軸部を当接させる釘当接面とが形成されている計測ゲージと、
前記胴体又は前記回転体のいずれか一方に設けられ該回転体の該胴体との相対的な回転角度を読み取り得る目盛り部とを備えていることを特徴とする遊技機の釘傾斜測定装置。
【請求項２】
前記計測ゲージは、前記胴体に着脱自在に設けられていることを特徴とする請求項１記載の釘傾斜測定装置
【請求項３】
前記計測ゲージの釘当接面は、前記遊技盤当接面から所定角度傾斜する両側縁に設けられ且つ互いに平行に形成されていることを特徴とする請求項１乃至２のうちのいずれかの請求項に記載された釘傾斜測定装置。
【請求項４】
前記回転体に該回転体を前記胴体に対する所定の回転角度において固定する固定手段を設けたことを特徴とする請求項１乃至３のうちのいずれかの請求項に記載された釘傾斜測定装置。